(57)【要約】【課題】部品点数を増加させることなく、複数の光源からの光それぞれを対応する照明部に確実に導光することができ、且つ、製造時の寸法の誤差を吸収することができる導光部材及び導光部材を備えた電子機器を提供する。【解決手段】電子機器としてのＡＶ機器はケース２と複数の光源としてのＬＥＤ１９と該複数のＬＥＤ１９からの光それぞれを前記ケース２外へ導く導光部材３０とを備えている。導光部材３０は、複数の導光部３１と互いに隣り合う前記導光部３１同士を連結する連結部３５とを備えている。複数の導光部３１は、互いに間隔をあけて配されて当該導光部３１の導光部本体３４にＬＥＤ１９からの光を受光する受光部３２と前記光を外部へ出射する照明部３３とを備えている。連結部３５には、複数の屈曲部３５ａ，３５ｂ，３５ｃが設けられて、互いに隣り合う導光部３１同士での光の透過を防止するとともに、各導光部３１を変位可能とする。【選択図】図３
2008243711.tif 000002
【特許請求の範囲】
【請求項１】
光源からの光を受光する受光部と該受光部で受光した光を外部へ出射する照明部とを有し且つ互いに間隔をあけて複数設けられた導光部と、互いに隣り合う前記導光部同士を連結する連結部と、を備えた導光部材において、
前記連結部が、複数の屈曲部を有していることを特徴とする導光部材。
【請求項２】
前記連結部が、互いに隣り合う前記導光部の相対していない面同士を連結することを特徴とする請求項１に記載の導光部材。
【請求項３】
ケースと、前記ケース内に収容された複数の光源と、前記ケース内に取り付けられ且つ前記複数の光源からの光をそれぞれ前記ケース外へ導く導光部材と、を備えた電子機器において、
前記導光部材として、請求項１又は請求項２に記載の導光部材を備えるとともに、
前記導光部の前記照明部の一部を前記ケースの表面から露出させていることを特徴とする電子機器。
【発明の詳細な説明】
【技術分野】
【０００１】
本発明は、例えば、ＡＶ機器等の各種の電子機器の操作ボタンを操作した際の動作状況を示す照明部を電子機器内部からの光によって照明するための導光部材及びこの導光部材を備えた電子機器に関する。
【背景技術】
【０００２】
例えば、ＣＤ（Compact Disk）等の光ディスクに記録された情報を読み出して、再生する電子機器としてのＡＶ機器は、ケースと、該ケース内に収容され且つ前記ＣＤ等の光ディスクをクランプして該光ディスクから情報を読み出す再生部と、前記ケースの表面に設けられ且つ各種の操作を行う際に用いられる操作部と、を備えている。
【０００３】
前述した操作部は、前記機器本体の外側に露出するとともに、前記ケースの外表面から突没自在に設けられて使用者等に押圧される操作部材を備えている。これらの操作部材は、利用者が夜間や暗所でも認識できるように、ケース内に設けられた光源からの光によって照明するために、例えば、特開２００６−７３４３５号公報に開示された照明装置が提案されている。
【０００４】
上記特開２００６−７３４３５号公報に開示された照明装置は、操作部材の裏側に配される光源と、これらの操作部材と光源との間に介在し且つ光源からの光を操作部材に向かって導く導光部材と、この導光部材のうち操作部材の裏側に位置し且つ該操作部材の照明箇所に対応する照明部を残して周辺部分を覆う遮光性を有するカバー部材と、を備えている。
【０００５】
前述した導光部材は、複数の照明部が設けられており、複数の操作部材に対して光源からの光を導光可能に形成されている。そして、この導光部材のうち各操作部材の裏側に位置する各照明部を残した周辺部分が、カバー部材によって表面側から覆われているため、導光部材の各照明部の対応する各操作部材の照明箇所に対して光源からの光を導いて、当該操作部材を効果的に照明している。
【特許文献１】特開２００６−７３４３５
【発明の開示】
【発明が解決しようとする課題】
【０００６】
しかしながら、前述した導光部材では、例えば、複数の操作部材毎に照明用の光源を設けて、互いに隣り合う光源の一方が点灯して他方が消灯した場合、点灯している光源からの光が導光部材内を透過して、消灯している光源に対応する照明部に導光されてしまうため、導光部材の各照明部を残した周辺部分をカバー部材で覆っていても、照明されてない照明部側に光が洩れてしまうことを防止できなかった。また、各照明部を別々の導光部材として形成して、光の透過を防止することも考えられるが、部品点数が増加してしまう問題があった。本発明が解決しようとする課題には、上記した問題が一例として挙げられる。
【０００７】
したがって、本発明の目的は、例えば、部品点数を増加させることなく、複数の光源からの光それぞれを対応する照明部に確実に導光することができ、且つ、製造時の寸法の誤差を吸収することができる導光部材及び導光部材を備えた電子機器を提供することにある。
【課題を解決するための手段】
【０００８】
前記課題を解決し目的を達成するために、請求項１に記載の本発明の導光部材は、光源からの光を受光する受光部と該受光部で受光した光を外部へ出射する照明部とを有し且つ互いに間隔をあけて複数設けられた導光部と、互いに隣り合う前記導光部同士を連結する連結部と、を備えた導光部材において、前記連結部が、複数の屈曲部を有していることを特徴としている。
【０００９】
前記課題を解決し目的を達成するために、請求項３に記載の本発明の電子機器は、ケースと、前記ケース内に収容された複数の光源と、前記ケース内に取り付けられ且つ前記複数の光源からの光をそれぞれ前記ケース外へ導く導光部材と、を備えた電子機器において、前記導光部材として、請求項１又は請求項２に記載の導光部材を備えるとともに、前記導光部の前記照明部の一部を前記ケースの表面から露出させていることを特徴としている。
【発明を実施するための最良の形態】
【００１０】
以下、本発明の一実施形態を説明する。本発明の一実施形態に係る導光部材は、光源からの光を受光する受光部と該光を出射する照明部とを有し、且つ、間隔をあけて複数設けられた導光部の互いに隣り合う導光部同士を連結する連結部が、複数の屈曲部を有している。このことによって、各導光部が受光部で受光した光源からの光を照明部へ導光する際に、前記光が連結部へ透過しても複数の屈曲部により、当該連結部から他の導光部へ光が透過することを防止できるため、互いに隣り合う導光部同士間での光の透過を防止することができる。したがって、部品点数を増加させることなく、複数の光源からの光それぞれを対応する照明部に確実に導光することができる。また、導光部材の製造時の寸法バラつきが発生しても、連結部の複数の屈曲部によって、寸法の誤差を吸収することができる。
【００１１】
また、上記連結部が、互いに隣り合う導光部の相対していない面同士を連結しているので、各導光部が光源からの光を受光部で受光して照明部へ導光する際に、当該光を連結部へ透過しにくくすることができ、互いに隣り合う導光部同士での光の透過を防止することができる。
【００１２】
さらに、電子機器が、ケースと、該ケース内に収容された複数の光源とを備えるとともに、前記複数の光源からの光をそれぞれケース外へ導く導光部材として、前述した導光部材を備え、且つ、導光部の照明部の一部をケースの表面から露出させている。このことによって、部品点数を増加させることなく、複数の光源からの光それぞれを対応する照明部に確実に導光することができる。
【実施例】
【００１３】
本発明の一実施例を図１乃至図４に基づいて説明する。本発明の一実施例に係る電子機器としてのＡＶ機器１は、移動体としての自動車のインストルメントパネル（以下、インパネと呼ぶ）等に装着される。以下、後述するＣＤやＭＤの表面と平行で且つこれらのＣＤ及びＭＤの出し入れする方向と平行な矢印Ｙを奥行き方向と呼び、ＣＤ及びＭＤの表面と平行で且つ前記奥行き方向Ｙに対して直交する矢印Ｘを幅方向と呼び、前記奥行き方向Ｙと幅方向Ｘとの双方に対して直交する矢印Ｚを厚み方向と呼ぶ。
【００１４】
ＡＶ機器１は、図１に示すように、ケース２と、再生装置としてのＣＤ（Compact Disc）プレーヤ３と、再生装置としてのＭＤ（Mini Disc）プレーヤ４と、ラジオ放送を受信するＡＭ／ＦＭチューナ５と、表示部６と、操作部７とを備えている。
【００１５】
ケース２は、合成樹脂からなるフロントパネル２ａと、板金からなるケース本体２ｂとで構成されている。ケース２は、ケース本体２ｂの図１中手前側に位置する前面にフロントパネル２ａが取り付けられて、箱状に形成されている。ケース２は、ケース本体２ｂが前述したインパネに取り付けられて、フロントパネル２ａが外部に露出し且つ乗員（使用者ともいう）に相対する。
【００１６】
そして、ケース２内には、前述したＣＤプレーヤ３、ＭＤプレーヤ４及びＡＭ／ＦＭチューナ５が収容されるとともに、これらのＣＤプレーヤ３、ＭＤプレーヤ４及びＡＭ／ＦＭチューナ５と電気的に接続される後述する印刷配線板１７（図２に示す）と、該印刷配線板１７に実装された複数の光源としてのＬＥＤ１９とを備えている。
【００１７】
また、ケース２の図１中手前側に位置するフロントパネル２ａには、ＣＤ用挿入口８と、ＭＤ用挿入口９と、操作部用孔１３（図３に示す）と、照明部用孔１４（図２に示す）とが開口している。
【００１８】
また、フロントパネル２ａの乗員と相対する表面の裏側の面には、図２に示すように、ケース２内に収容されたＬＥＤ１９からの光を外部に導くための後述する導光部材３０の導光部３１を収容する導光部収容部２１が設けられている。この導光部収容部２１は、フロントパネル２ａの裏側の面からケース２内部に向かって突設された周壁２２と固定ピン２３とを備えている。
【００１９】
周壁２２は、導光部３１の外周を囲むように形成されて、該導光部３１を内側に収容する。周壁２２には、一部が切り欠かれた切欠部２２ａが設けられている。固定ピン２３は、周壁２２の内側に配されている。
【００２０】
ＣＤ用挿入口８は、内側にＣＤを通して、該ＣＤをケース２即ちＣＤプレーヤ３に出し入れする。ＭＤ用挿入口９は、内側にＭＤを通して、該ＭＤをケース２即ちＭＤプレーヤ４に出し入れする。操作部用孔１３は、ケース２の前述したフロントパネル２ａを貫通している。操作部用孔１３は、操作部７の後述する操作ボタン１１を収容するとともに、ケース２のフロントパネル２ａに対して直交する奥行き方向Ｙに沿って、当該操作ボタン１１を移動自在に支持する。
【００２１】
照明部用孔１４は、ケース２のフロントパネル２ａを貫通している。照明部用孔１４は、フロントパネル２ａの乗員と相対する表面の裏側の面に取り付けられた導光部材３０の後述する導光部３１の照明部３３を収容するとともに、当該照明部３３の一部をフロントパネル２ａ、即ちケース２の表面から露出させる。この導光部材３０の詳細な構成については、後述する。
【００２２】
ＣＤプレーヤ３は、ケース２内に挿入されたＣＤの情報を読み出して、音声として出力する。ＭＤプレーヤ４は、ケース２内に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する操作ボタン１１等を使用者が押圧することによって動作する。
【００２３】
表示部６は、ケース２のフロントパネル２ａに設けられ且つ液晶ディスプレイ（ＬＣＤ：Liquid Crystal Display）などからなる情報等を表示する表示パネル１０を備えている。表示部６は、表示パネル１０に再生中のＣＤやＭＤのプログラムやチューナ５が受信中の放送局名などの情報を表示する。
【００２４】
操作部７は、一つの複合スイッチ１２と、複数の操作ボタン１１等を備えている。複合スイッチ１２は、前述したフロントパネル２ａに対して直交する方向に沿って移動自在に設けられるとともに、前記フロントパネル２ａに対し直交する軸芯回りに回転自在に支持された操作ノブ１５を備えている。操作ノブ１５は、フロントパネル２ａから突出する方向に付勢されているとともに、前記フロントパネル２ａなどに係止して該フロントパネル２ａから脱落することが規制されている。
【００２５】
そして、複合スイッチ１２は、操作ノブ１５が押圧されることで、ＡＶ機器１全体の電源をオン・オフし、操作ノブ１５が軸芯回りに回転されることで、再生中又は受信中のプログラムの音量を調整するために用いられる。
【００２６】
複数の操作ボタン１１は、図１に示すように、前記フロントパネル２ａに幅方向Ｘに沿って直線上に並べられて、配置されている。操作ボタン１１は、平面形状が矩形状に形成された乗員に相対する正面板を備えており、この正面板がフロントパネル２ａと平行で且つ該フロントパネル２ａより外側に露出する状態で、操作部用孔１３内に収容されている。操作ボタン１１は、正面板がフロントパネル２ａから突没自在に、前記操作部用孔１３即ちケース２にスライド自在に支持されている。
【００２７】
印刷配線板１７は、ケース２内に収容されて且つフロントパネル２ａの近傍に配されている。印刷配線板１７は、絶縁性の基板１８と、該基板１８の表面に形成された配線パターン（図示せず）とを備えている。基板１８は、その両表面がケース２のフロントパネル２ａと平行に配されている。基板１８には、光源としての複数のＬＥＤ１９や図示しない各種の電子部品などが実装されている。
【００２８】
配線パターンは、銅などの導電性の金属で構成されている。配線パターンは、箔状に形成されて基板１８の表面に貼り付けられている。配線パターンは、前述した電子部品同士を予め定められたパターンにしたがって電気的に接続している。
【００２９】
前述した導光部材３０は、図２又は図３に示すように、ケース２のフロントパネル２ａの裏側の面に取り付けられて、前述した基板１８に実装された複数のＬＥＤ１９からの光をそれぞれケース２外に導く。導光部材３０は、透光性を有する材料からなり、複数のＬＥＤ１９からの光をそれぞれ導光する複数の導光部３１と、これらの各導光部３１を連結する連結部３５とを備えている。
【００３０】
複数の導光部３１は、それぞれ、複数のＬＥＤ１９に対応して設けられている。即ち、ＬＥＤ１９一つに対して、一つの導光部３１が対応している。導光部３１は、対応するＬＥＤ１９と奥行き方向Ｙに沿って並べられている。複数の導光部３１には、それぞれ、導光部本体３４と、ＬＥＤ１９からの光を受光する受光部３２と、この受光部３２で受光した光を外部に出射する照明部３３とを備えている。
【００３１】
導光部本体３４は、平面形状が略楕円形に形成されている。導光部本体３４には、導光部３１をケース２のフロントパネル２ａの裏側の面に固定する固定ピン２３が挿通される貫通孔３４ａが設けられている。この導光部本体３４は、前述したケース２のフロントパネル２ａの裏側の面の導光部収容部２１内に収容される。
【００３２】
受光部３２は、図３に示すように、前述した導光部本体３４から突設され且つ四角柱状に形成されている。受光部３２は、導光部３１をケース２のフロントパネル２ａの裏側の面に固定した際に、該フロントパネル２ａに対して直交する奥行き方向Ｙに沿ってケース２内に向かって突出するように形成されている。
【００３３】
照明部３３は、図３に示すように、前述した導光部本体３４から突設され且つ平面形状が楕円の円柱状に形成されている。照明部３３は、導光部３１をケース２のフロントパネル２ａの裏側の面に固定した際に、該フロントパネル２ａに対して直交する奥行き方向Ｙに沿ってケース２外に向かって突出するように形成されている。
【００３４】
前述した受光部３２及び照明部３３は、導光部本体３４から互いに反対の方向に向かって突出するように形成されている。そして、前述した受光部３２及び照明部３３は、対応するＬＥＤ１９と奥行き方向Ｙに沿って同軸上に並ぶように、導光部本体３４に設けられている。
【００３５】
連結部３５は、図４に示すように、複数の屈曲部３５ａ，３５ｂ，３５ｃが設けられており、図示例では３つ設けられている。連結部３５は、一端が互いに隣り合う導光部３１のうち一つの導光部３１の導光部本体３４の端に連なり、他端が他の導光部３１の導光部本体３４の端に連なっている。即ち、隣り合う各導光部３１の導光部本体３４の互いに相対している面同士を連結している。こうして、連結部３５は、前述した各導光部３１の互いに隣り合う導光部３１の導光部本体３４同士を連結している。
【００３６】
また、連結部３５は、前述した複数の屈曲部３５ａ，３５ｂ，３５ｃが設けられるとともに、導光部本体３４よりも幅及び厚みが狭く形成されて、弾性変形自在となっている。連結部３５は、弾性変形することで、導光部本体３４がケース２のフロントパネル２ａに対して幅方向Ｘに沿って移動することを許容する。即ち、導光部本体３４がケース２に対して幅方向Ｘに沿って変位することを許容する。
【００３７】
前述した構成の導光部材３０は、導光部本体３４の貫通孔３４ａに固定ピン２３が挿通され且つ当該導光部本体３４が周壁２２内の空間に挿入されて、導光部３１がケース２のフロントパネル２ａの裏側の面に設けられた導光部収容部２１に収容される。
【００３８】
このとき、各導光部３１の照明部３３が、ケース２のフロントパネル２ａに設けられた各照明部用孔１４内に、当該照明部３３の一部がフロントパネル２ａ表面から露出するように収容される。即ち、各導光部３１の照明部３３の一部が、ケース２の表面から露出する。そして、図１に示すように、各照明部３３が、ケース２のフロントパネル２ａに幅方向Ｘに沿って直線上に並べられて、配置される。
【００３９】
本実施例によれば、導光部材３０が、ＬＥＤ１９からの光を受光する受光部３２と該光を出射する照明部３３とを有し、且つ、間隔をあけて複数設けられた導光部３１の互いに隣り合う導光部３１同士を連結する連結部３５が、複数の屈曲部３５ａ，３５ｂ，３５ｃを有している。
【００４０】
このことによって、各導光部３１が受光部３２で受光したＬＥＤ１９からの光を照明部３３へ導光する際に、前記光が連結部３５へ透過しても複数の屈曲部３５ａ，３５ｂ，３５ｃにより、当該連結部３５から他の導光部３１へ光が透過することを防止できるため、互いに隣り合う導光部３１同士間での光の透過を防止することができる。また、導光部材３０の製造時の寸法バラつきが発生しても、連結部３５の複数の屈曲部３５ａ，３５ｂ，３５ｃにより導光部本体３４を変位させることで、寸法の誤差を吸収することができる。
【００４１】
そして、ＡＶ機器１は、ケース２と、該ケース２内に収容された複数のＬＥＤ１９とを備えるとともに、前記複数のＬＥＤ１９からの光をそれぞれケース２外へ導くための導光部材として、前述した導光部材３０を備え、且つ、導光部３１の照明部３３の一部をケース２の表面から露出させている。このことによって、部品点数を増加させることなく、複数のＬＥＤ１９からの光それぞれを対応する照明部３３に確実に導光することができる。
【００４２】
また、前述した実施例では、連結部３５には、３つの屈曲部３５ａ，３５ｂ，３５ｃが設けているが、例えば、図５に示すように、４つの屈曲部３６ａ，３６ｂ，３６ｃ，３６ｄが設けられた連結部３６としても良い。このように、４つの屈曲部３６ａ，３６ｂ，３６ｃ，３６ｄを設けて連結部３６の屈曲する箇所を多くすることで、連結部３６へ透過したＬＥＤ１９からの光を当該連結部３６から他の導光部３１に透過することをより効果的に防止することができる。この連結部に設けられた屈曲部は、４つ以上設けられていても良い。
【００４３】
前述した実施例では、連結部３５が互いに隣り合う導光部３１の導光部本体３４の互いに相対している面同士を連結し且つ複数の屈曲部３５ａ，３５ｂ，３５ｃを有していることで、互いに隣り合う導光部３１同士での光の透過を防止するとともに、導光部本体３４を移動（変位）自在としている。しかしながら、本発明では、図６に示すように、導光部本体３４の互いに相対している面同士ではなく、導光部本体３４の互いに相対していない面同士を連結しても良い。なお、図６において、前述した実施例と同一構成部分については、同一符号を付して説明を省略する。
【００４４】
図６で示す場合では、連結部３７は、一端が互いに隣り合う導光部３１のうち一つの導光部３１の導光部本体３４の互いに相対していない端に連なり、他端が他の導光部３１の導光部本体３４の互いに相対していない端に連なっている。即ち、隣り合う各導光部３１の導光部本体３４の互いに相対していない面同士が、連結部３７により連結されている。また、連結部３７は、導光部本体３４よりも幅が狭く形成されるとともに、一対の屈曲部３７ａ，３７ｂが設けられて、平面形状が略コ字状に形成されて、弾性変形自在となっている。
【００４５】
そして、図６で示す場合では、前述した連結部３７が、互いに隣り合う導光部３１の導光部本体３４の相対していない面同士を連結しているので、各導光部３１がＬＥＤ１９からの光を受光部３２で受光して照明部３３へ導光する際に、当該光を連結部３７へ透過しにくくすることができ、互いに隣り合う導光部３１同士間での光の透過を防止することができる。
【００４６】
また、前述した実施例では、連結部３７には、一対の屈曲部３７ａ，３７ｂが設けている。しかしながら、本発明では、例えば、図７に示すように、５つの屈曲部３８ａ，３８ｂ，３８ｃ，３８ｄ，３８ｅが設けられた連結部３８としても良い。このように、５つの屈曲部３８ａ，３８ｂ，３８ｃ，３８ｄ，３８ｅを設けて連結部３８の屈曲する箇所を多くすることで、連結部３８へ透過したＬＥＤ１９からの光を当該連結部３８から他の導光部３１に透過することをより効果的に防止することができる。
【００４７】
また、複数の屈曲部３８ａ，３８ｂ，３８ｃ，３８ｄ，３８ｅが設けられた連結部３８とすることによって、導光部材３０の製造時の寸法バラつきが発生しても、連結部３８の複数の屈曲部３８ａ，３８ｂ，３８ｃ，３８ｄ，３８ｅにより導光部本体３４を変位させることで、寸法の誤差を吸収することができる。
【００４８】
前述した実施例では、電子機器として自動車に取り付けられるＡＶ機器１を示しているが、本発明では、ＡＶ機器１に限らず、種々の電子機器に適用しても良い。
【００４９】
また、前述した実施例では、ＡＶ機器１は、ケース２内に再生装置としてのＣＤプレーヤ、ＭＤプレーヤ及びラジオ放送を受信するＡＭ／ＦＭチューナ５等を収容している。しかしながら、本発明では、カセットテーププレーヤ、ＤＶＤ（Digital Versatile Disc）−ＲＯＭプレーヤ及びテレビ放送を受信するテレビチューナ等を収容しても良い。
【００５０】
前述した実施例によれば、以下の導光部材３０が得られる。
【００５１】
（付記）
ＬＥＤ１９からの光を受光する受光部３２と該受光部３２で受光した光を外部へ出射する照明部３３とを有し且つ互いに間隔をあけて複数設けられた導光部３１と、互いに隣り合う前記導光部３１同士を連結する連結部３５と、を備えた導光部材３０において、
前記連結部３５が、複数の屈曲部３５ａ，３５ｂ，３５ｃを有していることを特徴とする導光部材３０。
【００５２】
付記によれば、各導光部３１が受光部３２で受光したＬＥＤ１９からの光を照明部３３へ導光する際に、前記光が連結部３５へ透過しても複数の屈曲部３５ａ，３５ｂ，３５ｃにより当該連結部３５から他の導光部３１へ光が透過することを防止できるため、互いに隣り合う導光部３１同士間での光の透過を防止することができる。また、導光部材３０の製造時の寸法バラつきが発生しても、連結部３５の複数の屈曲部３５ａ，３５ｂ，３５ｃにより導光部本体３４を変位させることで、寸法の誤差を吸収することができる。
【００５３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５４】
【図１】本発明の一実施例に係る導光部材を有するＡＶ機器を示す斜視図である。
【図２】図１に示されたＡＶ機器のケースに導光部材を取り付けた状態を示す断面図である。
【図３】図１に示されたＡＶ機器のケースに導光部材を取り付けた状態を背面側から見た斜視図である。
【図４】図３に示された導光部材を模式的に示す模式図である。
【図５】図４に示された導光部材の変形例を示す模式図である。
【図６】図４に示された導光部材のさらに別の変形例を示す模式図である。
【図７】図６に示された導光部材の変形例を示す模式図である。
【符号の説明】
【００５５】
１  ＡＶ機器（電子機器）
２  ケース
１９  ＬＥＤ（光源）
３０  導光部材
３１  導光部
３２  受光部
３３  照明部
３５，３６，３７，３８  連結部
３５ａ，３５ｂ，３５ｃ  屈曲部
３６ａ，３６ｂ，３６ｃ，３６ｄ  屈曲部
３７ａ，３７ｂ  屈曲部
３８ａ，３８ｂ，３８ｃ，３８ｄ，３８ｅ  屈曲部
【図１】
2008243711.tif 000003
【図２】
2008243711.tif 000004
【図３】
2008243711.tif 000005
【図４】
2008243711.tif 000006
【図５】
2008243711.tif 000007
【図６】
2008243711.tif 000008
【図７】
2008243711.tif 000009